【手続補正書】
【提出日】平成27年2月16日(2015.2.16)
【手続補正１】
【補正対象書類名】明細書
【補正対象項目名】００４７
【補正方法】変更
【補正の内容】
【００４７】
【表１】
2013075097.tif 000001
【手続補正２】
【補正対象書類名】明細書
【補正対象項目名】０１３１
【補正方法】変更
【補正の内容】
【０１３１】
上記式（２３）において、ｎの値は、ポリＣ2〜6アルキレングリコールが、約０〜約０．６０のＩＯＢと、約４５℃以下の融点と、２５℃の水１００ｇに対する、約０．０５ｇ以下の水溶解度とを有するような値である。
例えば、式（２３）がポリプロピレングリコール（ｍ＝３）である場合には、ｎ＝１２の場合に、ＩＯＢが０．５８となる。従って、式（２３）がポリプロピレングリコール（ｍ＝３）である場合には、ｍ≧約１２の場合に、上記ＩＯＢの要件を満たす。
また、式（２３）がポリブチレングリコール（ｍ＝４）である場合には、ｎ＝７の場合に、ＩＯＢが０．５７となる。従って、式（２３）がポリブチレングリコール（ｍ＝４）である場合には、ｎ≧約７の場合に、上記ＩＯＢの要件を満たす。
【手続補正３】
【補正対象書類名】明細書
【補正対象項目名】０１６０
【補正方法】変更
【補正の内容】
【０１６０】
上記血液改質剤は、約２，０００以下の重量平均分子量を有することが好ましく、そして１，０００以下の重量平均分子量を有することがより好ましい。重量平均分子量が高くなると、血液改質剤の粘度を、塗工に適した粘度に下げることが難しくなり、溶媒で希釈すべき場合が生ずるからである。また、重量平均分子量が大きくなると、血液改質剤にタック性が生じ、着用者に不快感を与える場合があるからである。
【手続補正４】
【補正対象書類名】明細書
【補正対象項目名】０１９５
【補正方法】変更
【補正の内容】
【０１９５】
【表３−２】
2013075097.tif 000002
【手続補正５】
【補正対象書類名】明細書
【補正対象項目名】０２１６
【補正方法】変更
【補正の内容】
【０２１６】
［例７］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。
測定は、機器が自動で行うが、表面張力γは、以下の式により求められる（図８を参照）。
【手続補正６】
【補正対象書類名】特許請求の範囲
【補正対象項目名】全文
【補正方法】変更
【補正の内容】
【特許請求の範囲】
【請求項１】
液透過性のトップシートと、吸収体と、液不透過性のバックシートと、前記トップシート及び吸収体の間のセカンドシートとを有する吸収性物品であって、
前記トップシートが、第１領域と、第１領域よりも液透過性が低い第２領域とを有し、
前記セカンドシートが、前記吸収性物品の厚さ方向に関して、前記トップシートの第１領域及び第２領域にそれぞれ隣接する第３領域及び第４領域を有し、
前記トップシートと、前記セカンドシートの第３領域とが、０〜０．６０のＩＯＢと、４５℃以下の融点と、２５℃の水１００ｇに対する、０．０５ｇ以下の水溶解度とを有する血液改質剤を含む、
ことを特徴とする、前記吸収性物品。
【請求項２】
第１領域が、前記トップシートの平均坪量よりも小さい坪量を有する低坪量領域であり、第２領域が、前記トップシートの平均坪量よりも大きい坪量を有する高坪量領域である、請求項１に記載の吸収性物品。
【請求項３】
第１領域が、第２領域よりも低い繊維密度を有する、請求項１又は２に記載の吸収性物品。
【請求項４】
第１領域の厚さが、第２領域の厚さよりも薄い、請求項１〜３のいずれか一項に記載の吸収性物品。
【請求項５】
第１領域が、前記吸収性物品の長手方向に延びる複数の溝部であり、第２領域が、前記吸収性物品の長手方向に延びる複数の畝部であり、前記畝部及び溝部が、互いに平行であり且つ交互に配置されている、請求項１〜４のいずれか一項に記載の吸収性物品。
【請求項６】
第１領域が開孔部を有する、請求項１〜５のいずれか一項に記載の吸収性物品。
【請求項７】
第３領域における血液改質剤の坪量が、第４領域における血液改質剤の坪量よりも高い、請求項１〜６のいずれか一項に記載の吸収性物品。
【請求項８】
前記血液改質剤が、
（ｉ）炭化水素、
（ｉｉ）炭化水素のＣ−Ｃ単結合間に、少なくとも１つのカルボニル結合（−ＣＯ−）及び／若しくは少なくとも１つのエーテル結合（−Ｏ−）が挿入された化合物、又は
（ｉｉｉ）炭化水素のＣ−Ｃ単結合間に、少なくとも１つのカルボニル結合（−ＣＯ−）及び／若しくは少なくとも１つのエーテル結合（−Ｏ−）が挿入され、且つ炭化水素上の少なくとも１つの水素原子が、カルボキシル基（−ＣＯＯＨ）若しくはヒドロキシル基（−ＯＨ）で置換された化合物、
であり、ここで、（ｉｉ）又は（ｉｉｉ）の化合物において、エーテル結合が２つ以上挿入されている場合には、エーテル結合同士は隣接していない、
請求項１〜７のいずれか一項に記載の吸収性物品。
【請求項９】
前記血液改質剤が、
（ｉ’）炭化水素、
（ｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）及び／若しくは少なくとも１つのエーテル結合（−Ｏ−）が挿入された化合物、又は
（ｉｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）及び／若しくは少なくとも１つのエーテル結合（−Ｏ−）が挿入され、且つ炭化水素上の少なくとも１つの水素原子が、カルボキシル基（−ＣＯＯＨ）若しくはヒドロキシル基（−ＯＨ）で置換された化合物、
であり、ここで、（ｉｉ’）又は（ｉｉｉ’）の化合物において、２以上の結合が挿入されている場合には、各結合は隣接していない、
請求項１〜８のいずれか一項に記載の吸収性物品。
【請求項１０】
前記血液改質剤が、
（Ａ）２〜４個のヒドロキシル基を有する化合物と、１個のカルボキシル基を有する化合物とのエステル、
（Ｂ）２〜４個のヒドロキシル基を有する化合物と、１個のヒドロキシル基を有する化合物とのエーテル、
（Ｃ）２〜４個のカルボキシル基を有する化合物と、１個のヒドロキシル基を有する化合物とのエステル、
（Ｄ）炭化水素に、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つが挿入された化合物、
（Ｅ）ポリＣ2〜6アルキレングリコール、又はそのエステル若しくはエーテル、あるいは
（Ｆ）鎖状炭化水素、
である、請求項１〜９のいずれか一項に記載の吸収性物品。
【請求項１１】
前記血液改質剤が、（Ａ1）鎖状炭化水素テトラオールと脂肪酸とのエステル、（Ａ2）鎖状炭化水素トリオールと脂肪酸とのエステル、（Ａ3）鎖状炭化水素ジオールと脂肪酸とのエステル、（Ｂ1）鎖状炭化水素テトラオールと脂肪族１価アルコールとのエーテル、（Ｂ2）鎖状炭化水素トリオールと脂肪族１価アルコールとのエーテル、（Ｂ3）鎖状炭化水素ジオールと脂肪族１価アルコールとのエーテル、（Ｃ1）４個のカルボキシル基を有する鎖状炭化水素テトラカルボン酸、ヒドロキシ酸、アルコキシ酸又はオキソ酸と、脂肪族１価アルコールとのエステル、（Ｃ2）３個のカルボキシル基を有する鎖状炭化水素トリカルボン酸、ヒドロキシ酸、アルコキシ酸又はオキソ酸と、脂肪族１価アルコールとのエステル、（Ｃ3）２個のカルボキシル基を有する鎖状炭化水素ジカルボン酸、ヒドロキシ酸、アルコキシ酸又はオキソ酸と、脂肪族１価アルコールとのエステル、（Ｄ1）脂肪族１価アルコールと脂肪族１価アルコールとのエーテル、（Ｄ2）ジアルキルケトン、（Ｄ3）脂肪酸と脂肪族１価アルコールとのエステル、（Ｄ4）ジアルキルカーボネート、（Ｅ1）ポリＣ2〜6アルキレングリコール、（Ｅ2）ポリＣ2〜6アルキレングリコールと脂肪酸とのエステル、（Ｅ3）ポリＣ2〜6アルキレングリコールと脂肪族１価アルコールとのエーテル、（Ｅ4）ポリＣ2〜6アルキレングリコールと、鎖状炭化水素テトラカルボン酸、鎖状炭化水素トリカルボン酸、又は鎖状炭化水素ジカルボン酸とのエステル、（Ｅ5）ポリＣ2〜6アルキレングリコールと、鎖状炭化水素テトラオール、鎖状炭化水素トリオール、又は鎖状炭化水素ジオールとのエーテル、及び（Ｆ1）鎖状アルカンから成る群から選択される、請求項１〜１０のいずれか一項に記載の吸収性物品。
【請求項１２】
前記血液改質剤が、２０００以下の重量平均分子量を有する、請求項１〜１１のいずれか一項に記載の吸収性物品。
【請求項１３】
前記液透過性のトップシート及びセカンドシートが、不織布又は織布であり、前記血液改質剤が、前記不織布又は織布の繊維の表面に付着している、請求項１〜１２のいずれか一項に記載の吸収性物品。
【請求項１４】
生理用ナプキン又はパンティーライナーである、請求項１〜１３のいずれか一項に記載の吸収性物品。
【請求項１５】
液透過性のトップシートと、吸収体と、液不透過性のバックシートと、前記液透過性のトップシート及び吸収体の間のセカンドシートとを有する吸収性物品前駆体に、前記血液改質剤を、前記液透過性のトップシート側からスプレーすることにより製造された、請求項１〜１４のいずれか一項に記載の吸収性物品。
【手続補正７】
【補正対象書類名】図面
【補正対象項目名】図８
【補正方法】変更
【補正の内容】
【図８】
2013075097.tif 000003